(57)【要約】      （修正有）【課題】ダーツを抜き取りやすい構成を有するアウトボードエリアを備えたソフトダーツ用ダーツボードを提供する。【解決手段】ソフトダーツ用ダーツボードには、得点エリアの外側のアウトボードエリア１２にソフトダーツのチップを保持するための複数の孔１２１が形成されており、これらの孔１２１には、孔１２１の周方向に互いに離間して、孔１２１の径方向に突出した複数の支持突起１２３１が孔１２１の深さ方向に延びて形成されており、それらの支持突起１２３１でソフトダーツのチップに接触して、孔１２１でソフトダーツを保持する。【選択図】図２
0003201091.tif 000002
【実用新案登録請求の範囲】
【請求項１】
得点エリアの外側のアウトボードエリアにソフトダーツのチップを保持するための複数の孔が形成されており、
前記孔には、前記孔の周方向に互いに離間して、前記孔の径方向に突出した複数の支持突起が前記孔の深さ方向に延びて形成されており、
前記複数の支持突起でソフトダーツのチップに接触して前記孔にソフトダーツを保持することを特徴とするソフトダーツ用ダーツボード。
【請求項２】
前記アウトボードエリアは、フロントパネルと一体となって、ＡＢＳ樹脂で構成されることを特徴とする請求項１に記載のソフトダーツ用ダーツボード。
【考案の詳細な説明】
【技術分野】
【０００１】
本考案は、ソフトダーツ用ダーツボードに関し、特に、得点エリアに隣接するアウトボードエリアに、ソフトダーツが刺さる孔が形成されたソフトダーツ用ダーツボードに関するものである。
【背景技術】
【０００２】
ソフトダーツ用ダーツボードでは、ダブルのエリアを狙って投じられたソフトダーツ（以下、単に「ダーツ」という。）がダブルのエリアを外れてアウトボードエリアに的中したときにも、ダーツがダーツボードに弾かれて落下し、ダーツのチップやフライトが破損することを防止すべく、ダーツをダーツボードに保持するための孔が、ダブルのエリアの周囲のアウトボードエリアに形成されている。
【０００３】
図４は、従来のアウトボードエリアの孔を示す断面図であり、図５は、従来のアウトボードエリアの拡大背面図である。図４及び図５に示すように、アウトボードエリア５２には、複数の孔５２１が形成されている。各孔５２１は、フロント側（図４の上側）に、フロント側に向けて広くなる開口部５２２を有し、その奥には、ダーツのチップを保持するために、ダーツのチップの外径よりも若干小さい内径を有する保持部５２３が形成されている。
【０００４】
ダーツがアウトボードエリア５２の孔５２１に刺さる場合には、ダーツのチップが開口部５２２から保持部５２３に導かれて保持部５２３がダーツのチップを保持する。
【０００５】
なお、本考案に関連する先行技術として、以下の先行技術文献がある。
【先行技術文献】
【特許文献】
【０００６】
【特許文献１】特開２００４−３２５０６６号公報
【考案の概要】
【考案が解決しようとする課題】
【０００７】
アウトボードエリアを構成する部材（以下、アウトボード部材）は、典型的にはフロントパネルと一体に、ＡＢＳ（Acrylonitrile Butadiene Styrene）樹脂の成形品として構成される。ＡＢＳ樹脂は、軽量、低コストであり、剛性を確保できるため、フロントパネルの材料として好適に用いられる。
【０００８】
しかしながら、ＡＢＳ樹脂は硬いため、アウトボード部材に形成された孔にダーツのチップが刺さったときに、ダーツを抜き取り難いという問題があった。
【０００９】
本考案は、上記の問題に鑑みてなされたものであり、ダーツを抜き取りやすい構成を有するアウトボードエリアを備えたソフトダーツ用ダーツボードを提供することを目的とする。
【課題を解決するための手段】
【００１０】
本考案の一態様のソフトダーツ用ダーツボードは、得点エリアの外側のアウトボードエリアにソフトダーツのチップを保持するための複数の孔が形成されており、前記孔には、前記孔の周方向に互いに離間して、前記孔の径方向に突出した複数の支持突起が前記孔の深さ方向に延びて形成されており、前記複数の支持突起でソフトダーツのチップに接触して前記孔にソフトダーツを保持するソフトダーツ用ダーツボードである。
【００１１】
上記のソフトダーツ用ダーツボードにおいて、前記アウトボードエリアは、フロントパネルと一体となって、ＡＢＳ樹脂で構成されていてよい。
【考案の効果】
【００１２】
本考案によれば、ダーツを抜き取りやすい構成を有するアウトボードエリアを備えたソフトダーツ用ダーツボードが提供される。
【図面の簡単な説明】
【００１３】
【図１】本考案の実施の形態におけるダーツボードの正面図
【図２】本考案の実施の形態におけるアウトボードエリアの孔を示す断面図
【図３】本考案の実施の形態におけるアウトボードエリアの拡大背面図
【図４】従来のアウトボードエリアの孔を示す断面図
【図５】従来のアウトボードエリアの拡大背面図
【考案を実施するための形態】
【００１４】
以下、本考案の実施の形態のソフトダーツ用ダーツボード（以下、単に「ダーツボード」という。）について、図面を参照しながら説明する。なお、以下に説明する実施の形態は、本考案を実施する場合の一例を示すものであって、本考案を以下に説明する具体的構成に限定するものではない。本考案の実施にあたっては、実施の形態に応じた具体的構成が適宜採用されてよい。
【００１５】
図１は、本考案の実施の形態におけるダーツボードの正面図である。ダーツボード１０は、スパイダによって扇状に区画されたセグメントからなる得点エリア１１と、得点エリア１１に隣接して得点エリア１１を囲む円環状のアウトボードエリア１２を含む。アウトボードエリア１２には、その内側の得点エリア１１のセグメントの得点を示す数字が表記されている。
【００１６】
得点エリア１１は、中央が円形のブルエリア１１１であり、その外側が等間隔で２０分割されて、各セグメントが形成されている。ブルエリア１１１の外側は内側シングル得点エリア１１２であり、その外側は対応する得点の３倍の得点が得られるトリプル得点エリア（トリプルリング）１１３であり、その外側は外側シングル得点エリア１１４であり、その外側は対応する得点の２倍の得点が得られるダブル得点エリア（ダブルリング）１１５であり、その外側はアウトボードエリア１２である。
【００１７】
ダブル得点エリア１１５のいずれかのセグメントを狙って投げたダーツがダブル得点エリア１１５の外側に外れたときに、ダーツがダーツボードにはじかれないように、アウトボードエリア１２には、ダーツのチップ（先端）が突き刺さるための複数の孔が形成されている。
【００１８】
図２は、アウトボードエリア１２の孔を示す断面図であり、図３は、アウトボードエリア１２の拡大背面図である。図２及び図３に示すように、アウトボードエリア１２には、複数の孔１２１が形成されている。各孔１２１は、フロント側（図２の上側）に、フロント側に向けて広くなる開口部１２２を有し、その奥には、ダーツのチップを保持するために、ダーツのチップの外径よりも若干小さい内径を有する保持部１２３が形成されている。
【００１９】
保持部１２３には、孔１２１の周方向に互いに離間して、孔１２１の径方向に突出した複数の支持突起１２３１が孔１２１の深さ方向に延びて形成されている。図２及び図３の例では、この支持突起１２３１が各孔１２１につき、互いに等角度間隔に４つ形成されている。開口部１２２から保持部１２３に突き刺さるダーツのチップは、保持部１２３において、この４つの支持突起１２３１によって保持される。
【００２０】
このように、本実施の形態におけるアウトボードエリア１２の孔１２１は、ダーツのチップを孔１２１の全周で接触して保持するのではなく、周方向に間欠的に、複数個所で接触してダーツのチップを保持する。よって、ダーツを全周で接触して保持する場合と比較して、ダーツを抜く際のチップと保持部１２３との間の抵抗が小さくなり、ダーツは抜き取りやすくなる。その一方で、ダーツのチップを４つの支持突起１２３１で四方から保持するので、ダーツを全周で接触して保持する場合と比較して、保持能力は劣らない。
【００２１】
なお、上記の実施の形態では、アウトボードエリア１２の孔１２１に４つの支持突起１２３１を形成したが、４つに限らず、例えば、３つ、あるいは５つ以上であってもよい。
【産業上の利用可能性】
【００２２】
本考案は、ダーツが抜き取りやすくなるという効果を有し、得点エリアに隣接するアウトボードエリアに、ソフトダーツが刺さる孔が形成されたソフトダーツ用ダーツボード等として有用である。
【符号の説明】
【００２３】
１０  ソフトダーツ用ダーツボード
１１  得点エリア
１１１  ブルエリア
１１２  内側シングル得点エリア
１１３  トリプル得点エリア（トリプルリング）
１１４  外側シングル得点エリア
１１５  ダブル得点エリア（ダブルリング）
１２  アウトボードエリア
１２１  孔
１２２  開口部
１２３  保持部
１２３１  支持突起
【図１】
0003201091.tif 000003
【図２】
0003201091.tif 000004
【図３】
0003201091.tif 000005
【図４】
0003201091.tif 000006
【図５】
0003201091.tif 000007